(57)【要約】本発明は、電気エネルギーから音響エネルギーに変換するための電磁トランスデューサ（１）を有し、音声を生成し記録するためのアセンブリであって、当該アセンブリが少なくとも一つのマイクロフォン（２）を有し、マイクロフォン（２）の少なくとも一部がトランスデューサ（１）の中に配されるアセンブリに関する。本発明は、少なくとも一つのこのようなアセンブリを有する、例えば、ラウドスピーカシステム用の音声を生成し記録するための装置も提供する。更に、本発明は、少なくとも一つのこのようなアセンブリ及びトランスデューサ（１）の使用を提供する。
2006526927.tif 000002
【特許請求の範囲】
【請求項１】
電気エネルギーから音響エネルギーに変換するための電磁トランスデューサを有し、音声を生成し記録するためのアセンブリであって、当該アセンブリが少なくとも一つのマイクロフォンを有し、前記マイクロフォンの少なくとも一部が前記トランスデューサの中に配されるアセンブリ。
【請求項２】
前記マイクロフォンが、実質的に前記トランスデューサの中に位置付けられる、請求項１に記載のアセンブリ。
【請求項３】
前記トランスデューサの外面が、前記マイクロフォンを周囲の空気と接触させるための少なくとも一つの通気道を有する、請求項１に記載のアセンブリ。
【請求項４】
前記トランスデューサが、音声生成素子を作動させるためのコイルを有する、請求項１に記載のアセンブリ。
【請求項５】
前記マイクロフォンが、前記コイルによって少なくとも部分的に囲まれている、請求項４に記載のアセンブリ。
【請求項６】
前記音声生成素子が円錐体を有する、少なくとも請求項４に記載のアセンブリ。
【請求項７】
前記円錐体が中央キャップを有し、前記マイクロフォンが前記キャップの後方に配される、請求項６に記載のアセンブリ。
【請求項８】
前記トランスデューサが、前記音声生成素子を作動させるための前記コイルと協働する磁性手段を有し、前記マイクロフォンが前記磁性手段に接続される、請求項４に記載のアセンブリ。
【請求項９】
前記磁性手段が磁石コアを有し、前記マイクロフォンが前記磁石コアに取り付けられる、請求項８に記載のアセンブリ。
【請求項１０】
前記コイルが前記磁石コアを部分的に囲む、請求項９に記載のアセンブリ。
【請求項１１】
前記磁石コアが、前記マイクロフォンの少なくとも一部を含むマイクロフォン開口部を備えている、請求項９に記載のアセンブリ。
【請求項１２】
前記マイクロフォンの音声受信部が、前記コイル及び前記磁石コアの双方によって囲まれる領域の外側に配される、請求項１１に記載のアセンブリ。
【請求項１３】
前記マイクロフォン開口部が、前記円錐体の実質的に回転対称的な部分によって囲まれる、請求項１１に記載のアセンブリ。
【請求項１４】
前記マイクロフォンが、前記磁石コアを通って延在する電気ワイヤ手段に接続される、請求項９に記載のアセンブリ。
【請求項１５】
前記マイクロフォンが、前記トランスデューサの中心線に配される、請求項１に記載のアセンブリ。
【請求項１６】
請求項１乃至１５の何れか一項に記載のアセンブリを有し、音声を生成し記録するための装置。
【請求項１７】
音声が前記アセンブリの前記マイクロフォンによって記録される、請求項１乃至１５の何れか一項に記載のアセンブリの使用。
【請求項１８】
音声が同じ前記アセンブリのそれぞれのトランスデューサによって同時に作成される、請求項１７に記載の使用。
【請求項１９】
前記アセンブリの前記マイクロフォンによって記録された前記音声が、フィードバック手段を使用することなどによって、前記トランスデューサにより生成された前記音声を調整するために使用される、請求項１８に記載の使用。
【請求項２０】
前記アセンブリの前記マイクロフォンによって記録された前記音声が、少なくとも一つの増幅器の伝達関数を較正するために使用される、請求項１７に記載の使用。
【発明の詳細な説明】
【技術分野】
【０００１】
本発明は、電気エネルギーを音響エネルギーに変換するための電磁トランスデューサを有し、音声を生成し記録するためのアセンブリであって、少なくとも一つのマイクロフォンを有するアセンブリに関する。
【背景技術】
【０００２】
このようなアセンブリは、日本特許出願第２００１７５２７９号明細書から知られる。この知られるアセンブリは、特に、持ち運びできる無線端末のサイズを小さくするように小型化を達成するために、互いにスタックされるトランスデューサ及びマイクロフォンを有する。使用中に、トランスデューサは、例えば、ボイス生成用の音声を生成する。マイクロフォンは、音声を記録する役目を果たす。
【発明の開示】
【発明が解決しようとする課題】
【０００３】
知られるアセンブリの欠点は、このアセンブリが依然として比較的大きなスペースを必要とすることである。本発明の目的は、この課題を解決することにあり、特に、音声を生成し記録するためのアセンブリが比較的小さなスペースしか必要としないようにすることにある。
【課題を解決するための手段】
【０００４】
本発明は、マイクロフォンの少なくとも一部が、トランスデューサの中に配されることを特徴とするアセンブリを提供する。
【０００５】
このように、少なくとも一つのマイクロフォンがトランスデューサに少なくとも部分的に組み込まれ、その結果、比較的コンパクトなアセンブリをもたらす。本発明によるアセンブリは高度の小型化を可能にし、ここでは、マイクロフォンの少なくとも一部を収容することによって、トランスデューサの内部が非常に効率的に使用される。各々のアセンブリは一つの構成部品、特に、少なくとも一つのマイクロフォンを有する電磁トランスデューサとして提供され販売されることができるので、トランスデューサをインストールすることは、マイクロフォンも同時にインストールされることにつながる。本発明は、一つ又は複数のマイクロフォンが、今日まで従来技術で一般的に行われるやり方であるトランスデューサの外側に配されるやり方の代わりに、電磁トランスデューサの中に少なくとも部分的に配されることができるという本発明の概念に基づいている。
【０００６】
好ましくは、マイクロフォンが実質的にトランスデューサの中に配されるので、全体のアセンブリの外側寸法はトランスデューサの寸法によってほぼ決定される。このことは、アセンブリを或る機器に取り付ける場合にトランスデューサの寸法のみが考慮されるべきであり、マイクロフォンのためにスペースを取っておく必要がないという更なる利点を提供する。更に、このことは、当該分野から知られる互いに離れているマイクロフォン及びトランスデューサを取り付けるための精巧な取り付け装置を不要にする。
【０００７】
本発明によるアセンブリの他の利点は、マイクロフォンによって記録された音声の品質が比較的高い水準であり得ることである。更に、マイクロフォンを適切な位置に配することによって、このマイクロフォンはトランスデューサの動作に干渉しないか又はほんの僅かにしか干渉しないので、その結果、トランスデューサが所望の高品質の音声を作成することを可能にする。
【０００８】
本発明は、電気エネルギーを音響エネルギーに変換するためのトランスデューサであって、マイクロフォンの少なくとも一部が当該トランスデューサの中に配されるトランスデューサにも関する。
【０００９】
本発明は、更に、請求項１乃至１５の何れか一項に記載の少なくとも一つのアセンブリを有し、音声を生成し記録するための装置を提供する。この装置は、本発明によるアセンブリの上述された利点から利益を得る。この装置は、例えば、ラウドスピーカシステム、持ち運びできるデバイス及び／又は通信デバイスを有するか又はこれらの一部である種々のタイプの機器を含んでもよい。
【００１０】
本発明によれば、例えば、比較的少しのスペースしか利用できない場合に音声がマイクロフォンによって記録される、請求項１乃至１５の何れか一項に記載の少なくとも一つのアセンブリを使用することも有利である。
【００１１】
本発明は、更に、本発明による少なくとも一つのアセンブリの使用に関する。本発明によるアセンブリの使用は、請求項１７乃至２０に規定される。  
【００１２】
各請求項を参照すれば、請求項の組に規定される特徴のさまざまな組み合わせが可能であることに留意されたい。
【００１３】
本発明は、添付の図面に示される例示的な実施形態に基づいてより詳細に説明される。
【発明を実施するための最良の形態】
【００１４】
図１はトランスデューサ１及びマイクロフォン２を有するアセンブリを示す。トランスデューサ１は、前側（front side，フロントサイド）Ｆ及び後ろ側（back side，バックサイド）Ｂをもつ。トランスデューサの前側Ｆは、音声生成素子４を有している。本実施形態では、この素子は環状円錐体４を有している。円錐体４は、トランスデューサ１の中心線ｚと同心である。トランスデューサ１は、円錐体４の外側エッジの傍らに、この円錐体４を適所に保持する前方フレーム手段１４を有している。円錐体４は中央キャップ１０を備え、このキャップ１０は、トランスデューサ１の内部をその周囲からシールドするために、環状円錐体４の中央開口部の上をおおって延在している。トランスデューサ１は、円錐体４を作動させるための、内側円錐体エッジに取り付けられるボイスコイル５も有している。このコイル５は、トランスデューサ１の中心線ｚのまわりに同心的に延在する。
【００１５】
このトランスデューサは磁石６を更に有し、ボイスコイル５及び磁石６が円錐体４を作動させるために互いに協働するように配されている。本実施形態において、この磁石は比較的簡単な永久磁石６であり、この永久磁石は磁石コア（magnet core，磁心）７のまわりに或る距離を置いて位置付けられ、このコア７がトランスデューサの中心線ｚに沿って延在している。トランスデューサの前側Ｆに対向している磁石６の前側は、環状前方プレート８を有している。コア７の一部は、この前方プレート８の中央開口部を通って延在する。ボイスコイル５は、前方プレート８と磁石コア７との間に設けられる環状スリット（slit，細い隙間）を通って軸方向に延在する。磁石６の後ろ側は、後方プレート１５の形状での後方フレームを有しており、これがコア７に一体的に接続されている。この後方プレート１５はトランスデューサの後ろ側Ｂを提供する。
【００１６】
トランスデューサ１は、更に、回転対称形のバスケット３を有している。このバスケットの内側エッジは、磁石の前方プレート８に取り付けられ、その一方で、このバスケット３の外側エッジは、前方フレーム１４を磁石の前方プレート８に対して適所に保持するために、トランスデューサの前方フレーム１４に取り付けられている。円錐体４及びボイスコイル５は、使用中に或る一定のアイドリングポジションまで円錐体４及びボイスコイル５を戻すための、スパイダー（spider）としても知られるばね手段９を介してバスケット３に接続されている。ばね手段９は、磁石コア７に対するボイスコイルの同心的な動きについても準備される。
【００１７】
トランスデューサ１の使用中、電気信号が、特に図には示されていない電気ワイヤによってボイスコイル５に供給される。その結果、電磁気で誘導された力がボイスコイル５と磁石６との間に生じ、コイル５及び該コイルに接続される円錐体４の動きにつながり、音声生成円錐体の振動、言い換えると、音響エネルギーをもたらす。
【００１８】
アセンブリ１は、更に、トランスデューサ１の内側に位置付けられるマイクロフォン２を有している。マイクロフォン２は、トランスデューサの円錐体４のキャップ１０の後方に或る距離を置いて、トランスデューサ１の中心線ｚに配される。キャップ１０は、例えば、ダスト及び／又は或る機械的影響のような、環境からの何らかの潜在的に有害な影響に抗してマイクロフォン２を保護するために、トランスデューサの環境からマイクロフォン２をシールドする。キャップ１０は、マイクロフォン２をトランスデューサ１を囲む空気と接触させるための少なくとも一つの通気道１３を有している。この通気道は、入って来る音波がマイクロフォン２にたどりつくことを容易にするために、マイクロフォン２を含むスペースの或る程度の通気（venting）を提供する。従って、マイクロフォン２は、入って来る音声を比較的高品質で記録することができる。
【００１９】
特に、マイクロフォン２は、磁石６の磁石コア７に取り付けられる。この目的のために、トランスデューサ１の前側Ｆに対向しているコア７の前側が、マイクロフォン２の後方部を含むマイクロフォン空隙１２を備えている。マイクロフォン２は、例えば、接着手段又は他の適切な手段を用いて、このマイクロフォン開口部１２を囲む磁石コア壁１７にしっかりと取り付けられている。従って、マイクロフォン２の望ましくない振動は予防されるか又は減少される。マイクロフォン空隙１２は、磁石コア７の回転対称形の特に円筒形の部分１７で囲まれ、この回転対称形がトランスデューサ１の使用中にボイスコイル５の同心的な動きを提供する。マイクロフォン２はボイスコイル５によって部分的に囲まれる。但し、マイクロフォン２の音声受信を行う前方部１６は、磁石６から或る距離を置いて配され、特に、ボイスコイル５及び磁石コア７の双方によって囲まれる領域の外側に配される。この配置のために、マイクロフォン２の音声受信部１６は、磁石６の磁界により比較的少ししか影響を及ぼされず、そのため、マイクロフォン２の所望の機能を果たす。マイクロフォン２は、例えば、マイクロフォン信号を記録し及び／又は測定するための外側の機器にマイクロフォン２を接続するために、コア７を通って延在し、好ましくは、シールドされたケーブルを有する、電気ワイヤ１１に接続される。
【００２０】
アセンブリ１，２は、マイクロフォン２を使用して音声を記録することが可能である。アセンブリ１，２は、特に、コイル５により作動される円錐体４の適用のために、比較的簡略且つ廉価な構造である。更に、アセンブリ１，２は、コンパクトであり、多くの異なるアプリケーションに簡単にインストールされることができる。
【００２１】
アセンブリ１，２の機器の中には、ＭＩＣ記録設備をもつオーディオシステム、例えば、持ち運びできるモノラル及び／又はステレオプレーヤ、ウォークマンなどがある。他の機器は、例えば、マイクロフォンが周囲のダイナミック伝達関数を得るために使用される自己較正オーディオシステムであり、この場合、一つ又は複数の増幅器の伝達関数が、マイクロフォン信号によって又は或る所望の音声フィールドを得るようなダイナミック伝達関数によって変更される。
【００２２】
音声の記録時、本発明のアセンブリ１，２を使用して、例えば、音声を記録するマイクロフォンを有していない同じアセンブリのそれぞれのトランスデューサ及び／又は他のトランスデューサによって、音声が作成されてもよい。その場合、アセンブリ１，２の少なくとも一つのマイクロフォン２が、一つ又は複数のトランスデューサによって作成された音声を記録することができる。マイクロフォン２によって記録された音声は、例えば、フィードバック手段を利用して、（複数の）トランスデューサによって生成された音声を調整するために使用され得る。このようにして、例えば、ハイファイサウンドシステムの非常に正確な較正（calibration）が、一つ又は複数の別個のマイクロフォンをインストールする必要なく達成されることができる。
【００２３】
本発明の例証となる実施形態が添付の図面を参照してより詳細に説明されているけれども、本発明はその実施形態に限定されるものではないことを理解されたい。種々の変更又は変更形態が、請求項に規定される本発明の範囲又は趣旨から逸脱することなく、当業者によって成し遂げられてもよい。
【００２４】
このアセンブリは、例えば、多くの異なるタイプの機器において、例えば、オーディオ及び／又はビデオシステム、ビデオモニタ、ラウドスピーカシステム、電話機、持ち運びできるオーディオデバイス、ビデオカメラ、コンピュータシステム、オーディオ較正フィードバックシステム、オーディオカセットプレーヤ、監視システム、通信デバイス、コンピュータ、ハンドヘルド通信機において、これらの機器の組み合わせにおいて及び／又は他の機器において使用されてもよい。
【００２５】
更に、マイクロフォンの一部が、例えば、トランスデューサ１の外側に設けられ及び／又は外側を通って延在してもよい。
【００２６】
更に、ダストキャップ１０の通気道１３は、マイクロフォン２を周囲の空気と接触させるために種々の異なるやり方で得られることも可能である。キャップ１０は、多くの小さい通気道を有し、及び／又は多孔質材料、例えば、布地を有していてもよい。
【００２７】
音声生成素子４は、種々の異なるやり方及び形状で、例えば、円錐体、メンブレン及び／又は細いプレート状で供給されることができる。
【００２８】
このアセンブリは、２つ以上のマイクロフォンを備えていてもよい。
【図面の簡単な説明】
【００２９】
【図１】本発明の好ましい実施形態の断面図である。
【図１】
2006526927.tif 000003
【国際調査報告】
2006526927.tif 000004
2006526927.tif 000005
2006526927.tif 000006